【手続補正書】
【提出日】平成16年2月4日(2004.2.4)
【手続補正１】
【補正対象書類名】明細書
【補正対象項目名】特許請求の範囲
【補正方法】変更
【補正の内容】
【特許請求の範囲】
【請求項１】
受信信号に同期した再生クロックを生成する再生クロック生成回路において、
上記受信信号と生成した再生クロックとの位相を比較し、この比較結果に基づいて位相誤差信号を生成する第１の生成手段と、
この第１の生成手段により生成される位相誤差信号を平滑化する第１の平滑化回路と、
この第１の平滑化回路の出力に応じた周波数をもつ再生クロックを生成するクロック生成手段と、
上記受信信号と上記クロック生成手段により生成された再生クロックとにより定常位相偏差に対する補正信号を生成する第２の生成手段と、
この第２の生成手段による補正信号を平滑化する第２の平滑化回路と、
この第２の平滑化回路の出力を上記第１の平滑化回路の出力に加算する加算手段と、
を具備したことを特徴とする再生クロック生成回路。
【請求項２】
受信信号に同期した再生クロックを生成する再生クロック生成回路において、
上記受信信号と生成した再生クロックとの位相を比較し、この比較結果に基づいて位相誤差信号を生成する第１の生成手段と、
この第１の生成手段により生成される位相誤差信号を平滑化する第１の平滑化回路と、
この第１の平滑化回路の出力に応じた周波数をもつ再生クロックを生成するクロック生成手段と、
所定の基準パターンに対応する基準信号を発生する発生手段と、
この発生手段により発生される基準信号と上記クロック生成手段により生成された再生クロックとにより定常位相偏差に対する補正信号を生成する第２の生成手段と、
この第２の生成手段による補正信号を平滑化する第２の平滑化回路と、
この第２の平滑化回路の出力を上記第１の平滑化回路の出力に加算する加算手段と、
を具備したことを特徴とする再生クロック生成回路。
【請求項３】
受信信号に同期した種々の周波数の再生クロックを生成する再生クロック生成回路において、
上記受信信号と生成した再生クロックとの位相を比較し、この比較結果に基づいて位相誤差信号を生成する第１の生成手段と、
この第１の生成手段により生成される位相誤差信号を平滑化する第１の平滑化回路と、
この第１の平滑化回路の出力に応じた周波数をもつ再生クロックを生成するクロック生成手段と、
所定の基準パターンに対応する基準信号を発生する発生手段と、
この発生手段による基準信号のチャネルレートを検出する第１の検出手段と、
上記クロック生成手段により生成された再生クロックの周波数を検出する第２の検出手段と、
上記第１の検出手段により検出した基準信号のチャネルレートと上記第２の検出手段により検出した再生クロックの周波数とを比較し、基準信号のチャネルレートと再生クロックの周波数とが一致するように周波数制御信号を上記第１の平滑化回路の出力に加算する第１の加算手段と、
上記発生手段により発生される基準信号と上記クロック生成手段により生成される再生クロックとにより定常位相偏差に対する補正信号を生成する第２の生成手段と、
この第２の生成手段による補正信号を平滑化する第２の平滑化回路と、
この第２の平滑化回路の出力を上記第１の平滑化回路の出力に加算する第２の加算手段と、
を具備したことを特徴とする再生クロック生成回路。
【請求項４】
光ディスクに記録されているデータを再生する光ディスク装置において、
上記光ディスクに対してデータの再生を行う光学ヘッドと、
この光学ヘッドにより再生される再生信号に基づいて再生クロックを生成する生成手段と、
この生成手段により生成される再生クロックに基づいて、上記光学ヘッドにより再生される再生信号を再生データに復調する復調手段とを具備し、
上記生成手段が、
上記再生信号と生成した再生クロックとの位相を比較し、この比較結果に基づいて位相誤差信号を生成する第１の生成手段と、
この第１の生成手段により生成される位相誤差信号を平滑化する第１の平滑化回路と、
この第１の平滑化回路の出力に応じた周波数をもつ再生クロックを生成するクロック生成手段と、
上記受信信号と上記クロック生成手段により生成された再生クロックとにより定常位相偏差に対する補正信号を生成する第２の生成手段と、
この第２の生成手段による補正信号を平滑化する第２の平滑化回路と、
この第２の平滑化回路の出力を上記第１の平滑化回路の出力に加算する加算手段とからなる、
ことを特徴とする光ディスク装置。
【請求項５】
光ディスクに記録されているデータを再生する光ディスク装置において、
上記光ディスクに対してデータの再生を行う光学ヘッドと、
この光学ヘッドにより再生される再生信号に基づいて再生クロックを生成する生成手段と、
この生成手段により生成される再生クロックに基づいて、上記光学ヘッドにより再生される再生信号を再生データに復調する復調手段とを具備し、
上記生成手段が、
上記光学ヘッドにより再生される再生信号と生成した再生クロックとの位相を比較し、この比較結果に基づいて位相誤差信号を生成する第１の生成手段と、
この第１の生成手段により生成される位相誤差信号を平滑化する第１の平滑化回路と、
この第１の平滑化回路の出力に応じた周波数をもつ再生クロックを生成するクロック生成手段と、
所定の基準パターンに対応する基準信号を発生する発生手段と、
この発生手段により発生される基準信号と上記クロック生成手段により生成された再生クロックとにより定常位相偏差に対する補正信号を生成する第２の生成手段と、
この第２の生成手段による補正信号を平滑化する第２の平滑化回路と、
この第２の平滑化回路の出力を上記第１の平滑化回路の出力に加算する加算手段とからなる、
ことを特徴とする光ディスク装置。
【請求項６】
光ディスクに記録されているデータを再生する光ディスク装置において、
上記光ディスクに対してデータの再生を行う光学ヘッドと、
この光学ヘッドにより再生される再生信号に基づいて再生クロックを生成する生成手段と、
この生成手段により生成される再生クロックに基づいて、上記光学ヘッドにより再生される再生信号を再生データに復調する復調手段とを具備し、
上記生成手段が、
上記光学ヘッドにより再生される再生信号と生成した再生クロックとの位相を比較し、この比較結果に基づいて位相誤差信号を生成する第１の生成手段と、
この第１の生成手段により生成される位相誤差信号を平滑化する第１の平滑化回路と、
この第１の平滑化回路の出力に応じた周波数をもつ再生クロックを生成するクロック生成手段と、
所定の基準パターンに対応する基準信号を発生する発生手段と、
この発生手段による基準信号のチャネルレートを検出する第１の検出手段と、
上記クロック生成手段により生成された再生クロックの周波数を検出する第２の検出手段と、
上記第１の検出手段により検出した基準信号のチャネルレートと上記第２の検出手段により検出した再生クロックの周波数とを比較し、基準信号のチャネルレートと再生クロックの周波数とが一致するように周波数制御信号を上記第１の平滑化回路の出力に加算する第１の加算手段と、
上記発生手段により発生される基準信号と上記クロック生成手段により生成される再生クロックとにより定常位相偏差に対する補正信号を生成する第２の生成手段と、
この第２の生成手段による補正信号を平滑化する第２の平滑化回路と、
この第２の平滑化回路の出力を上記第１の平滑化回路の出力に加算する第２の加算手段とからなる、
ことを特徴とする光ディスク装置。
【請求項７】
受信信号に同期した再生クロックを生成する再生クロック生成回路において、
上記受信信号と生成した再生クロックとの位相を比較し、この比較結果に基づいて位相差に比例したオフセット付の第１の検出パルスとオフセットを除去した第２の検出パルスを生成する第１の生成手段と、
この第１の生成手段により生成される第１の検出パルスに応じた期間、正極性の電流が流れ、上記第１の生成手段により生成される第２の検出パルスに応じた期間、負極性の電流が流れることにより、上記第１の生成手段における位相差に応じた信号を平滑化する第１の平滑化回路と、
この第１の平滑化回路の出力に応じた周波数をもつ再生クロックを生成するクロック生成手段と、
上記受信信号と上記クロック生成手段により生成された再生クロックとにより定常位相偏差に対する補正信号を生成する第２の生成手段と、
この第２の生成手段による補正信号を平滑化する第２の平滑化回路と、
上記第１の生成手段により生成される第１の検出パルスあるいは第２の検出パルスに応じた期間、上記第２の平滑化回路の出力を上記第１の平滑化回路の出力に加算する加算手段と、
を具備したことを特徴とする再生クロック生成回路。